(57)【要約】【課題】埋設管に関するデータの作成及び管理を効率的に行うことのできる技術の提供を目的とする。【解決手段】情報処理装置であって、複数の地点を所定の順に接続してなる埋設管上の地点を特定する地点特定情報と、該地点に連続する他の地点を特定する連続地点特定情報と、を対応させた地点情報を格納する記憶部と、埋設管の施工区間内に位置する複数の地点特定情報を特定した設計支援要求を出力する設計支援要求出力部と、設計支援要求を用いて設計情報を生成し、設計情報を出力する設計情報出力部と、設計情報に含まれる地点特定情報の各々に対して連続地点特定情報の指定を受け付ける連続地点指定受付部と、設計情報に含まれる地点特定情報と、連続地点指定受付部によって指定を受け付けた連続地点特定情報と、を用いて地点情報を生成する地点情報生成部と、を備えることを特徴とする。【選択図】  図１
2015191253.tif 000002
【特許請求の範囲】
【請求項１】
複数の地点を所定の順に接続してなる埋設管上の前記地点を特定する地点特定情報と、該地点に連続する他の地点を特定する連続地点特定情報と、を対応させた地点情報を格納する記憶部と、
前記埋設管の施工区間内に位置する複数の前記地点特定情報を特定した設計支援要求を出力する設計支援要求出力部と、
前記設計支援要求を用いて設計情報を生成し、前記設計情報を出力する設計情報出力部と、
前記設計情報に含まれる地点特定情報の各々に対して前記連続地点特定情報の指定を受け付ける連続地点指定受付部と、
前記設計情報に含まれる前記地点特定情報と、前記連続地点指定受付部によって指定を受け付けた前記連続地点特定情報と、を用いて前記地点情報を生成する地点情報生成部と、
を備えることを特徴とした情報処理装置。
【請求項２】
請求項１に記載する情報処理装置であって、
前記連続地点指定受付部は、一つの前記地点特定情報につき一つの前記連続地点特定情報の指定を受け付けることを特徴とする情報処理装置。
【請求項３】
請求項１又は２に記載する情報処理装置であって、
前記施工区間の両端に位置する前記地点特定情報の指定を受け付ける地点指定画面を出力する画面表示部を備え、
前記設計支援要求出力部は、前記地点指定画面に対して指定された前記地点特定情報を特定した前記設計支援要求を出力することを特徴とする情報処理装置。
【請求項４】
請求項３に記載する情報処理装置であって、
前記画面表示部は、前記地点特定情報の各々に対して前記連続地点特定情報の入力を受け付ける連続地点入力画面をさらに表示し、
前記連続地点指定受付部は、前記連続地点入力画面に対して入力された前記連続地点特定情報の指定を受け付けることを特徴とする情報処理装置。
【請求項５】
請求項１から４のいずれか一項に記載する情報処理装置であって、
前記設計支援要求処理部は、前記複数の地点特定情報の各々の座標を特定した前記設計支援要求を出力し、
前記設計情報出力部は、前記設計支援要求に含まれる前記座標を用いて施工地図情報を取得し、前記施工地図情報を用いて前記設計情報を生成することを特徴とする情報処理装置。
【請求項６】
請求項１から４のいずれか一項に記載する情報処理装置であって、
前記設計支援要求に含まれる複数の前記地点特定情報に係る地点を含む施工地図情報を生成する地図情報生成部を備え、
前記設計支援要求出力部は、前記地図情報生成部により生成される前記施工地図情報を特定した前記設計支援要求を出力することを特徴とする情報処理装置。
【請求項７】
請求項１から６のいずれか一項に記載する情報処理装置であって、
前記地点特定情報は、前記埋設管である下水道上の人孔を特定する情報であって、
前記設計支援要求出力部は、前記施工区間内の最上流の人孔に係る前記地点特定情報と最下流の人孔に係る前記地点特定情報とを特定した前記設計支援要求を出力し、
前記連続地点指定受付部は、前記地点特定情報の各々に対して下流の人孔に係る前記連続地点特定情報の指定を受け付けることを特徴とする情報処理装置。
【請求項８】
制御部及び記憶部を備える情報処理装置を用いた工事データ管理方法であって、
前記記憶部は、
複数の地点を所定の順に接続してなる埋設管上の前記地点を特定する地点特定情報と、該地点に連続する他の地点を特定する連続地点特定情報と、を対応させた地点情報を格納し、
前記制御部は、
前記埋設管の施工区間内に位置する複数の前記地点特定情報を特定した設計支援要求を出力する設計支援要求出力ステップと、
前記設計支援要求を用いて設計支援を実行し、設計情報を出力する設計支援処理ステップと、
前記設計情報に含まれる地点特定情報の各々に対して前記連続地点特定情報の指定を受け付ける連続地点指定受付ステップと、
前記設計情報に含まれる前記地点特定情報と、前記連続地点指定受付ステップにおいて指定を受け付けた前記連続地点特定情報と、を用いて前記地点情報を生成する地点情報生成ステップと、
を実行することを特徴とする工事データ管理方法。
【請求項９】
コンピューターに、工事に関するデータの管理を行うステップを実行させるプログラムであって、
前記コンピューターを、制御手段と、記憶手段として機能させ、
前記記憶手段には、複数の地点を所定の順に接続してなる埋設管上の前記地点を特定する地点特定情報と、該地点に連続する他の地点を特定する連続地点特定情報と、を対応させた地点情報が格納され、
前記制御手段に対して、
前記埋設管の施工区間内に位置する複数の前記地点特定情報を特定した設計支援要求を出力する設計支援要求出力ステップと、
前記設計支援要求を用いて設計支援を実行し、設計情報を出力する設計支援処理ステップと、
前記設計情報に含まれる地点特定情報の各々に対して前記連続地点特定情報の指定を受け付ける連続地点指定受付ステップと、
前記設計情報に含まれる前記地点特定情報と、前記連続地点指定受付ステップにおいて指定を受け付けた前記連続地点特定情報と、を用いて前記地点情報を生成する地点情報生成ステップと、
を実行させることを特徴とするプログラム。
【発明の詳細な説明】
【技術分野】
【０００１】
本発明は、情報処理装置、工事データ管理方法、及びプログラムに関する。
【背景技術】
【０００２】
近年、配管や電気工事のための設計を行う際に、ＣＡＤ（computer aided design）システムやＧＩＳ（geographic information system：地理情報支援システム）等の支援システム利用することが一般的に行われている。
【０００３】
特許文献１には、配管工事の施工業者が日ごとに作成する日報データをＣＡＤシステムに入力する手段と、前記ＣＡＤシステムに入力された複数の日報データから工事竣工図を作成する手段とを有することを特徴とする配管工事の管理システムが開示されている。
【先行技術文献】
【特許文献】
【０００４】
【特許文献１】特開２００３−３３１０００号公報
【発明の概要】
【発明が解決しようとする課題】
【０００５】
支援システムを用いて設計を行う場合、現存する配管と設計を行う箇所との関連付けや、設計後のデータの管理が肝要となる。特許文献１に開示された技術では、配管に関するデータの作成手段や、データの更新方法が充分に開示されているとは言い難い。
【０００６】
本発明は、上記の点に鑑みてなされたものであって、埋設管に関するデータの作成及び管理を効率的に行うことのできる技術の提供を目的とする。
【課題を解決するための手段】
【０００７】
本願は、上記課題を解決する手段を複数含んでいるが、その例を挙げるならば、以下の通りである。
【０００８】
上記課題を解決するため、本発明の情報処理装置は、複数の地点を所定の順に接続してなる埋設管上の前記地点を特定する地点特定情報と、該地点に連続する他の地点を特定する連続地点特定情報と、を対応させた地点情報を格納する記憶部と、前記埋設管の施工区間内に位置する複数の前記地点特定情報を特定した設計支援要求を出力する設計支援要求出力部と、前記設計支援要求を用いて設計情報を作成し、前記設計情報を出力する設計情報出力部と、前記設計情報に含まれる地点特定情報の各々に対して前記連続地点特定情報の指定を受け付ける連続地点指定受付部と、前記設計情報に含まれる前記地点特定情報と、前記連続地点指定受付部によって指定を受け付けた前記連続地点特定情報と、を用いて前記地点情報を生成する地点情報生成部と、を備えることを特徴とする。
【０００９】
また、上記課題を解決するため、本発明の情報処理装置の前記連続地点指定受付部は、一つの前記地点特定情報につき一つの前記連続地点特定情報の指定を受け付けることを特徴としてもよい。
【００１０】
また、上記課題を解決するため、本発明の情報処理装置は、前記施工区間の両端に位置する前記地点特定情報の指定を受け付ける地点指定画面を出力する画面表示部を備え、前記設計支援要求出力部は、前記地点指定画面に対して指定された前記地点特定情報を特定した前記設計支援要求を出力することを特徴としてもよい。
【００１１】
また、上記課題を解決するため、本発明の情報処理装置の前記画面表示部は、前記地点特定情報の各々に対して前記連続地点特定情報の入力を受け付ける連続地点入力画面をさらに表示し、前記連続地点指定受付部は、前記連続地点入力画面に対して入力された前記連続地点特定情報の指定を受け付けることを特徴としてもよい。
【００１２】
また、上記課題を解決するため、本発明の情報処理装置の前記設計支援要求処理部は、前記複数の地点特定情報の各々の座標を特定した前記設計支援要求を出力し、前記設計情報出力部は、前記設計支援要求に含まれる前記座標を用いて施工地図情報を取得し、前記施工地図情報を用いて前記設計情報を生成することを特徴としてもよい。
【００１３】
また、上記課題を解決するため、本発明の情報処理装置は、前記設計支援要求に含まれる複数の前記地点特定情報に係る地点を含む施工地図情報を生成する地図情報生成部を備え、前記設計支援要求出力部は、前記地図情報生成部により生成される前記施工地図情報を特定した前記設計支援要求を出力することを特徴としてもよい。
【００１４】
また、上記課題を解決するため、本発明の情報処理装置の前記地点特定情報は、前記埋設管である下水道上の人孔を特定する情報であって、前記設計支援要求出力部は、前記施工区間内の最上流の人孔に係る前記地点特定情報と最下流の人孔に係る前記地点特定情報とを特定した前記設計支援要求を出力し、前記連続地点指定受付部は、前記地点特定情報の各々に対して下流の人孔に係る前記連続地点特定情報の指定を受け付けることを特徴としてもよい。
【００１５】
また、上記課題を解決するため、本発明の工事データ管理方法は、制御部及び記憶部を備える情報処理装置を用いた工事データ管理方法であって、前記記憶部は、複数の地点を所定の順に接続してなる埋設管上の前記地点を特定する地点特定情報と、該地点に連続する他の地点を特定する連続地点特定情報と、を対応させた地点情報を格納し、前記制御部は、前記埋設管の施工区間内に位置する複数の前記地点特定情報を特定した設計支援要求を出力する設計支援要求出力ステップと、前記設計支援要求を用いて設計支援を実行し、設計情報を出力する設計支援処理ステップと、前記設計情報に含まれる地点特定情報の各々に対して前記連続地点特定情報の指定を受け付ける連続地点指定受付ステップと、前記設計情報に含まれる前記地点特定情報と、前記連続地点指定受付ステップにおいて指定を受け付けた前記連続地点特定情報と、を用いて前記地点情報を生成する地点情報生成ステップと、を実行することを特徴としてもよい。
【００１６】
また、上記課題を解決するため、本発明のプログラムは、コンピューターに、工事に関するデータの管理を行うステップを実行させるプログラムであって、前記コンピューターを、制御手段と、記憶手段として機能させ、前記記憶手段には、複数の地点を所定の順に接続してなる埋設管上の前記地点を特定する地点特定情報と、該地点に連続する他の地点を特定する連続地点特定情報と、を対応させた地点情報が格納され、前記制御手段に対して、前記埋設管の施工区間内に位置する複数の前記地点特定情報を特定した設計支援要求を出力する設計支援要求出力ステップと、前記設計支援要求を用いて設計支援を実行し、設計情報を出力する設計支援処理ステップと、前記設計情報に含まれる地点特定情報の各々に対して前記連続地点特定情報の指定を受け付ける連続地点指定受付ステップと、前記設計情報に含まれる前記地点特定情報と、前記連続地点指定受付ステップにおいて指定を受け付けた前記連続地点特定情報と、を用いて前記地点情報を生成する地点情報生成ステップと、を実行させることを特徴としてもよい。
【発明の効果】
【００１７】
本発明によれば、設計データの作成及び管理を効率的に行うことのできる技術を提供することができる。
【００１８】
上記した以外の課題、構成、及び効果は、以下の実施形態の説明により明らかにされる。
【図面の簡単な説明】
【００１９】
【図１】下水道工事の概要の一例を示す図である。
【図２】情報処理装置の機能ブロック図である。
【図３】地点情報の一例を示す図である。
【図４】地点属性情報の一例を示す図である。
【図５】情報処理装置のハードウェア構成例を示す図である。
【図６】設計要求出力処理の一例を示すフローチャートである。
【図７】地点情報更新処理の一例を示すフローチャート（その１）である。
【図８】地点情報更新処理の一例を示すフローチャート（その２）である。
【図９】施工区間入力画面の一例を示す図である。
【図１０】連続地点指定受付画面の一例を示す図である。
【図１１】人孔情報表示画面の一例を示す図である。
【図１２】変形例における情報処理装置の機能ブロック図である。
【発明を実施するための形態】
【００２０】
以下、図面に基づいて本発明の実施形態の例を説明する。図１は、下水道工事の概要の一例を示す図である。
【００２１】
下水道は、埋設管等の地下水路に集約された排水が、公共用水域へ排出されるよう構成されている。本図は、埋設管を経由して下水処理施設に流入するよう構成された汚水用下水道の一例を示す。埋設管は、複数の連続する人孔、いわゆるマンホールと、各人孔を接続する管渠により構成される。なお、一般に、所定の人孔から下水処理施設までの経路に含まれる人孔は、該所定の人孔から見て下流に位置している。
【００２２】
埋設管上の所定の地点に敷設された人孔には、地点特定情報として識別情報が付与されている。地点特定情報は、例えば人孔ＩＤである。図１上、円形は人孔を示しており、「12-0001」等の情報は人孔ＩＤである。
【００２３】
埋設管を新設する施工では、既存の人孔又は一施設に新たな人孔及び管渠を継ぎ足す形で施工が行われる。一方、敷設替えは、既存の人孔と人孔の間で施工が行われる。本図は、既存の人孔「12-0001」、「12-0002」、「12-0003」及びその間の管渠からなる下水道について敷設替えの施工が行われるものである。敷設替えの施工においては、人孔「12-0002」、「12-0001」と「12-0002」間の管渠、及び「12-0002」と「12-0003」との間の管渠が廃止され、代わりに「12-0001」、「12-0011」、「12-0012」、「12-0013」、「12-0003」の人孔及びその間の管渠が新設される。
【００２４】
以下、施工区間のうち最も上流に位置する人孔を最上流人孔、最も下流に位置する人孔を最下流人孔、その間に位置する人孔を中間人孔として説明する。本図では、最上流人孔が「12-0001」、最下流人孔が「12-0003」であり、施工前の中間人孔が「12-0002」である。施工後の中間人孔は、「12-0011」、「12-0012」、「12-0013」である。
【００２５】
なお、一般的に、下水道の敷設では、複数の管渠が下流に向かうにつれて合流することはあるが、１つの管渠が下流に向かって分岐することは行われていない。従って、１つの人孔を特定すると、その人孔に連続しかつ下流の人孔を１つ特定することができるが、その人孔に連続しかつ上流の人孔は１つに限られない。
【００２６】
次に、情報処理装置１の機能の例について説明する。図２は、情報処理装置１の機能ブロック図である。
【００２７】
情報処理装置１は、制御部１０と、記憶部２０とを備える。制御部１０は、設計支援要求出力部１１と、連続地点指定受付部１２と、地点情報生成部１３と、画面表示部１４と、設計情報出力部１５とを備える。
【００２８】
設計支援要求出力部１１は、ＣＡＤシステムである設計情報出力部１５に対し、設計支援要求を出力する。設計支援要求には、最上流人孔及び最下流人孔各々の人孔ＩＤと、各々の位置情報である座標と、各々の属性とが特定されている。
【００２９】
連続地点指定受付部１２は、ＣＡＤシステムである設計情報出力部１５から出力された設計情報に含まれる各人孔ＩＤに対して、直下流にある人孔の人孔ＩＤの指定を受け付ける。設計情報には設計後の人孔を特定する人孔ＩＤが含まれている。連続地点指定受付部１２は、設計後の各人孔に対して順序を付与するために、各人孔ＩＤに対して、連続し、かつ下流にある人孔を特定する情報である連続地点特定情報の指定を受け付ける。以降、所定の人孔に対して連続し、かつ下流にある人孔を下流人孔として説明する。
【００３０】
地点情報生成部１３は、設計情報に含まれる人孔に関する情報を用いて、人孔に関する情報である地点情報を生成する。また、地点情報生成部１３は、設計情報に含まれる人孔ＩＤと、連続地点指定受付部１２が指定を受け付けた下流人孔の人孔ＩＤとを対応させて、地点情報に格納する。生成した地点情報は、記憶部２０に格納される。
【００３１】
画面表示部１４は、設計支援要求出力部１１が設計支援要求を出力するために人孔の指定を受け付ける施工区間入力画面と、連続地点指定受付部１２が連続地点の指定を受け付けるための連続地点指定受付画面とを出力する。画面表示部１４は、情報処理装置１が備えるディスプレイ等の表示装置に対し、出力した画面を表示させる。
【００３２】
設計情報出力部１５は、ＣＡＤシステム等の設計支援システムであって、下水道の平面及び縦断設計を支援する処理を行う。設計情報出力部１５は、設計支援要求出力部１１から出力された設計支援要求を読み取って設計支援を実行することにより設計情報を生成し、生成した設計情報を出力する。また、設計情報出力部１５は、設計支援要求に含まれる最上流人孔の座標及び最下流人孔の座標に基づいて記憶部２０内の地図情報記憶部２３を参照し、施工区間周辺の地図情報を取得し、設計支援に用いる。
【００３３】
設計情報出力部１５が出力する設計情報には、設計後の施工区間内に存在する人孔の人孔ＩＤ、及びそれらの人孔の属性情報が含まれる。設計情報には、最上流人孔及び最下流人孔の人孔ＩＤやそれらの属性情報が含まれ、最上流人孔及び最下流人孔の人孔ＩＤが他の人孔ＩＤと識別可能な状態で格納されている。図１の例で説明すると、設計情報には、施工区間内の人孔の人孔ＩＤである「12-0001」、「12-0011」、「12-0012」、「12-0013」、「12-0003」、及びこれらの人孔の属性情報が含まれる。属性情報とは、人孔及び人孔に接続する管渠の属性に関する情報であって、例えば人孔の人孔深等を示す情報である。
【００３４】
記憶部２０は、地点情報記憶部２１と、地点属性情報記憶部２２と、地図情報記憶部２３とを備える。
【００３５】
地点情報記憶部２１には、人孔を特定する人孔ＩＤと、各人孔の座標と直下流の人孔の人孔ＩＤとを対応させた地点情報が格納されている。
【００３６】
地点属性情報記憶部２２には、各人孔の属性情報を含む地点属性情報が格納されている。地点属性情報には、各人孔の人孔ＩＤと対応付けられて、例えば人孔の種別や、人孔深を示す情報が格納されている。
【００３７】
地図情報記憶部２３には、道路の形状が特定される道路台帳や、橋脚や他の埋設管の埋設状況が分かる埋設図面、住宅の境界が示された住宅地図等の地図情報が格納されている。
【００３８】
本実施形態では、画面表示部１４が、施工区間入力画面に基づいて、施工区間の最上流人孔及び最下流人孔の指定を受け付ける。設計支援要求出力部１１が指定に基づいて設計支援要求を出力し、設計情報出力部１５により設計情報が出力されると、連続地点指定受付画面において、設計情報に含まれる人孔に対して直下流の人孔の指定を受け付ける。これにより、敷設替え後の人孔の順序が明確になる。地点情報生成部１３は、指定された直下流人孔の人孔ＩＤを用いて地点情報を更新する。
【００３９】
次に、記憶部２０に格納される各情報について説明する。
【００４０】
図３は、地点情報記憶部２１に格納される地点情報の一例を示す図である。地点情報には、人孔ＩＤ２１ａ毎に、各人孔の座標２１ｂと、下流人孔ＩＤ２１ｃとが対応付けられて格納される。
【００４１】
人孔ＩＤ２１ａには、人孔を特定する識別情報が格納される。座標２１ｂには、人孔の所在地を示す情報であって、例えば地図情報記憶部２３により管理される地図情報上の所定の地点を示す情報が格納される。座標２１ｂには、例えば人孔の緯度及び経度が格納される。
【００４２】
下流人孔ＩＤ２１ｃには、人孔ＩＤ２１ａにより特定される人孔と連続し、かつ下流に位置する下流人孔の人孔ＩＤが格納される。なお、上述の通り、本実施形態では下流に向かうにつれて管渠が分岐することがないため、１つの人孔ＩＤ２１ａには１つの下流人孔ＩＤ２１ｃが対応付けられている。
【００４３】
図４は、地点属性情報記憶部２２に格納される地点属性情報の一例を示す図である。地点属性情報には、人孔ＩＤ２２ａ毎に、人孔種別２２ｂ、人孔深２２ｃ、管渠種別２２ｄ、管径２２ｅ、及び管渠延長２２ｆが対応付けられて格納される。
【００４４】
人孔ＩＤ２２ａには、人孔を特定する識別情報が格納される。人孔ＩＤ２２ａは、地点情報の人孔ＩＤ２１ａと対応する。人孔種別２２ｂには、人孔の大きさを示す号数が格納される。人孔深２２ｃには、地表面の人孔蓋の標高から管底標高を減じた値が格納される。
【００４５】
地点属性情報には、人孔ＩＤ２２ａにより特定される人孔に隣接し、かつ下流に位置する管渠に関する情報が、人孔の属性情報として格納される。管渠種別２２ｄには、管渠の材質が格納される。管径２２ｅには、管渠の直径が格納される。管渠延長２２ｆには、管渠の長さが格納される。
【００４６】
なお、地点属性情報には、例えば管渠勾配や処理区分等、他の属性情報が格納されていてもよい。また、地点属性情報は、図４に示す属性情報のすべてを備えている必要はない。
【００４７】
図５は、情報処理装置１のハードウェア構成例を示す図である。情報処理装置１は、ＣＰＵ３１と、ＲＡＭ３２と、不揮発性メモリ３３と、表示装置３４と、入力装置３５と、ネットワークＩ／Ｆ３６とを備える。
【００４８】
ＣＰＵ３１は中央演算装置であり、ＲＡＭ３２又は不揮発性メモリ３３に記憶されたプログラムに従って処理を実行する。情報処理装置１では、ＲＡＭ３２又は不揮発性メモリ３３上に読み出されたプログラムに従って動作するＣＰＵ３１により処理が行われる。
【００４９】
ＲＡＭ３２は記憶装置であり、プログラムやデータが一時的に読み出される記憶エリアとして機能する。不揮発性メモリ３３は、プログラムや各種データの格納先として用いられる。記憶部２０は、ＲＡＭ３２又は不揮発性メモリ３３によってその機能が実現される。
【００５０】
表示装置３４は、ＬＣＤ（Liquid Crystal Display）等のディスプレイである。入力装置３５は、ユーザーからの入力操作を受け付ける装置であり、タッチパネル又はハードウェアボタン等である。ネットワークＩ／Ｆ３６は、情報処理装置１をネットワークに接続するためのインターフェイスである。
【００５１】
なお、情報処理装置１の各構成要素の処理は、１つのハードウェアで実行されてもよいし、複数のハードウェアで実行されてもよい。また、情報処理装置１の各構成要素の処理は、１つのプログラムで実現されてもよいし、複数のプログラムで実現されてもよい。
【００５２】
図６は、設計要求出力処理の一例を示すフローチャートである。制御部１０が入力装置３５を介して、設計支援要求の開始指示を受け付けると、本フローチャートの処理が開始される。
【００５３】
画面表示部１４は、施工区間入力画面４０を表示する（ステップＳ１１）。
【００５４】
図９は、施工区間入力画面４０の一例を示す図である。施工区間入力画面４０は、人孔一覧表示領域４１と、確定ボタン４２と、戻るボタン４３とを含む。
【００５５】
人孔一覧表示領域４１には、施工対象となる人孔の人孔ＩＤを含む人孔ＩＤの一覧が表示される。人孔一覧表示領域４１は、最上流人孔入力領域４１ａを含む。最上流人孔入力領域４１ａに最上流人孔の人孔ＩＤが入力されると、人孔一覧表示領域４１には、入力された最上流人孔から下流にある人孔の人孔ＩＤの一覧が表示される。
【００５６】
人孔一覧表示領域４１は、最上流・最下流表示領域４１ｂを含む。最上流・最下流表示領域４１ｂには、入力された最上流人孔の人孔ＩＤと対応して、最上流であることを示す情報が表示される。また、最上流・最下流表示領域４１ｂには、最上流人孔を除く他の人孔ＩＤについて、最下流人孔か否かが選択可能に表示される。
【００５７】
確定ボタン４２は、最上流人孔及び最下流人孔を確定させる場合に選択を受け付けるボタンである。戻るボタン４３は、施工区間入力画面４０表示前の画面に表示画面を遷移させるためのボタンである。
【００５８】
説明を図６に戻す。次に、画面表示部１４は、施工区間入力画面４０において施工区間の最上流人孔と最下流人孔との入力を受け付ける（ステップＳ１２）。具体的には、画面表示部１４は、人孔一覧表示領域４１において最上流人孔と最下流人孔が入力され、確定ボタン４２が選択された場合に、最上流人孔と最下流人孔の入力を受け付ける。
【００５９】
次に、設計支援要求出力部１１は、指定された最上流人孔及び最下流人孔と対応する位置情報を特定する（ステップＳ１３）。具体的には、設計支援要求出力部１１は、ステップＳ１２において画面表示部１４が入力を受け付けた最上流人孔の人孔ＩＤと、最下流人孔の人孔ＩＤとを特定する。設計支援要求部は、特定した各々の人孔ＩＤを用いて地点情報を参照し、各々の人孔ＩＤと対応する人孔ＩＤ２１ａと関連付けられた位置情報である座標２１ｂを特定する。
【００６０】
次に、設計支援要求出力部１１は、指定された最上流人孔及び最下流人孔と対応する地点属性情報を特定する（ステップＳ１４）。具体的には、設計支援要求出力部１１は、ステップＳ１２において画面表示部１４が入力を受け付けた最上流人孔の人孔ＩＤと、最下流人孔の人孔ＩＤとを用いて地点属性情報を参照する。設計支援要求出力部１１は、各々の人孔ＩＤと対応する人孔ＩＤ２２ａと関連付けられた地点属性情報を特定する。
【００６１】
次に、設計支援要求出力部１１は、最上流人孔及び最下流人孔の人孔ＩＤ，及び特定した位置情報及び地点属性情報を含む設計支援要求を出力する（ステップＳ１５）。具体的には、設計支援要求出力部１１は、最上流人孔の人孔ＩＤと、最下流人孔の人孔ＩＤとの各々に対応付けて、ステップＳ１３において特定した位置情報と、ステップＳ１４において特定した地点属性情報とを特定した設計支援要求を、所定の書式に則って出力する。出力された設計支援要求は、記憶部２０の図示しない領域に格納される。その後、設計支援要求出力部１１は、本フローチャートの処理を終了する。
【００６２】
本実施形態によれば、最上流人孔と最下流人孔とを指定することで、設計情報出力部１５が設計支援に用いる情報を容易に出力することができる。
【００６３】
図７は、地点情報更新処理の一例を示すフローチャート（その１）である。設計支援要求出力部１１が出力した設計支援要求に基づいて、設計情報出力部１５により設計支援が実行され、設計情報が出力される。本フローチャートは、設計情報に基づいて地点情報を更新する処理の流れを示す。
【００６４】
地点情報生成部１３は、設計情報の指定を受け付ける（ステップＳ２１）。具体的には、設計情報出力部１５により出力された設計情報は、記憶部２０の図示しない領域に格納されている。地点情報生成部１３は、入力装置３５を介して、記憶部２０に格納された設計情報のうち、地点情報の更新に用いる設計情報の指定を受け付ける。
【００６５】
次に、地点情報生成部１３は、設計情報内の最上流人孔の人孔ＩＤと、最下流人孔の人孔ＩＤとを特定する（ステップＳ２２）。設計情報には、敷設替え後の人孔を特定する複数の人孔ＩＤが含まれており、複数の人孔ＩＤのうち最上流人孔の人孔ＩＤと最下流人孔の人孔ＩＤとが識別可能に格納されている。地点情報生成部１３は、設計情報を参照し、最上流人孔の人孔ＩＤと最下流人孔の人孔ＩＤとを特定する。
【００６６】
次に、地点情報生成部１３は、地点情報を参照し、ステップＳ２２で特定した最上流人孔と最下流人孔の間の中間人孔の人孔ＩＤを特定する（ステップＳ２３）。具体的には、地点情報生成部１３は、ステップＳ２２で特定した最上流人孔の人孔ＩＤを用いて地点情報を参照し、最上流人孔の人孔ＩＤと対応する人孔ＩＤ２１ａと関連付けられた下流人孔ＩＤ２１ｃを特定する。地点情報生成部１３は、下流人孔ＩＤ２１ｃと最下流人孔の人孔ＩＤとの比較を行い、各々が対応しない場合には、下流人孔ＩＤ２１ｃを中間人孔の人孔ＩＤとして特定する。次に、特定した中間人孔の人孔ＩＤと機器情報において対応する人孔ＩＤ２１ａと関連付けられた下流人孔ＩＤ２１ｃを特定し、最下流人孔の人孔ＩＤとの比較を行い、各々が対応しない場合に、下流人孔ＩＤ２１ｃを中間人孔の人孔ＩＤとして特定する。この処理を、下流人孔ＩＤ２１ｃと最下流人孔の人孔ＩＤとが対応するまで繰り返す。下流人孔ＩＤ２１ｃと最下流人孔の人孔ＩＤとが対応する場合には、下流人孔ＩＤ２１ｃを中間人孔ＩＤと特定せずに、処理を終了する。
【００６７】
なお、最上流人孔と最下流人孔とが連続している場合は、中間人孔の人孔ＩＤは特定されずにステップＳ２３の処理が終了する。
【００６８】
次に、地点情報生成部１３は、特定した最上流人孔の人孔ＩＤ、及び特定した中間人孔の人孔ＩＤに対応する情報を、地点情報及び地点属性情報から削除する（ステップＳ２４）。具体的には、地点情報生成部１３は、地点情報を参照し、ステップＳ２２で特定した最上流人孔の人孔ＩＤ、及びステップＳ２３で特定した中間人孔の人孔ＩＤの各々と対応する人孔ＩＤ２１ａと関連付けられた地点情報を削除する。同様に、地点情報生成部１３は、地点属性情報を参照し、ステップＳ２２で特定した最上流人孔の人孔ＩＤ、及びステップＳ２３で特定した中間人孔の人孔ＩＤの各々と対応する人孔ＩＤ２２ａと関連付けられた地点属性情報を削除する。
【００６９】
次に、地点情報生成部１３は、特定した最下流人孔の人孔ＩＤに対応する情報を地点属性情報から削除する（ステップＳ２５）。具体的には、地点情報生成部１３は、ステップＳ２２で特定した最下流人孔の人孔ＩＤを用いて地点属性情報を参照し、対応する人孔ＩＤ２１ａに関連付けられた地点属性情報を削除する。
【００７０】
次に、地点情報生成部１３は、設計情報に含まれる最上流人孔の人孔ＩＤ、中間人孔の人孔ＩＤ、及び各々の座標を地点情報に格納する（ステップＳ２６）。設計情報には、設計情報出力部１５により設計支援処理が行われた人孔の人孔ＩＤと、各々の人孔の座標とが含まれている。地点情報生成部１３は、設計情報に含まれる最上流人孔及び中間人孔の人孔ＩＤと各々の座標とを、地点情報に格納する。
【００７１】
図８は、地点情報更新処理の一例を示すフローチャート（その２）である。
【００７２】
次に、地点情報生成部１３は、設計情報に含まれる最上流人孔の人孔ＩＤ、最下流人孔の人孔ＩＤ、中間人孔の人孔ＩＤ、及び各々の属性情報を地点属性情報に格納する（ステップＳ２７）。設計情報には、設計支援処理が行われた人孔の人孔ＩＤに対応付けられて、各々の人孔の属性情報が格納されている。地点情報生成部１３は、設計情報に含まれる人孔の人孔ＩＤと、各々の属性情報とを、地点属性情報に格納する。
【００７３】
次に、画面表示部１４は、連続地点指定受付画面５０を表示する（ステップＳ２８）。
【００７４】
図１０は、連続地点指定受付画面５０の一例を示す図である。連続地点指定受付画面５０は、設計済人孔表示領域５１と、連続地点指定確定ボタン５２と、戻るボタン５３と、人孔情報表示ボタン５４とを含む。
【００７５】
設計済人孔表示領域５１は、設計済人孔ＩＤ表示領域５１ａと、下流人孔ＩＤ表示領域５１ｂとを含む。設計済人孔ＩＤ表示領域５１ａは、設計情報に含まれる設計支援処理後の人孔ＩＤが表示される。設計済人孔ＩＤ表示領域５１ａには、最上流人孔及び最下流人孔の設計済人孔ＩＤが、識別可能に表示される。
【００７６】
下流人孔ＩＤ表示領域５１ｂには、設計済人孔ＩＤ５１ａに表示された設計済人孔ＩＤの下流人孔の人孔ＩＤが表示される。下流人孔ＩＤ表示領域５１ｂには設計済人孔の人孔ＩＤが選択可能に表示される。なお、最下流人孔の下流人孔ＩＤは、施工前後で変更がないため固定であって、地点情報の最下流人孔の人孔ＩＤ２１ａに対応する下流人孔ＩＤ２１ｃが表示される。また、設計済人孔は下流に向かって分岐することがないため、１つの設計済人孔ＩＤに対して１つの下流人孔ＩＤが選択可能に表示される。
【００７７】
連続地点指定確定ボタン５２が選択されると、設計済人孔表示領域５１に表示された設計済人孔ＩＤに対して選択された下流人孔ＩＤが確定したものと取り扱われる。戻るボタン５３が選択されると、連続地点指定受付画面５０表示前の画面に表示画面が遷移する。人孔情報表示ボタン５４が選択されると、後述する人孔情報表示画面６０が表示される。
【００７８】
なお、画面表示部１４は、連続地点指定受付画面５０において、最上流人孔の設計済人孔ＩＤから最下流人孔の設計済人孔ＩＤまで連続するよう下流人孔ＩＤが選択されずに連続地点指定確定ボタン５２が選択された場合に、エラーを示す情報を表示してもよい。また、画面表示部１４は、連続地点指定受付画面５０において、下流人孔ＩＤが選択されていない設計済人孔ＩＤが存在する場合に、エラーを示す情報を表示してもよい。また、画面表示部１４は、連続地点指定受付画面５０において、設計済人孔ＩＤに対して選択された下流人孔ＩＤが該設計済人孔ＩＤの上流に関連付けられている場合等、連続する人孔がループを構成する場合に、エラーを示す情報を表示してもよい。
【００７９】
図１１は、人孔情報表示画面６０の一例を示す図である。連続地点指定受付画面５０において人孔情報表示ボタン５４が選択された場合に、連続地点指定受付画面５０と併せて人孔情報表示画面６０が表示される。なお、連続地点指定受付画面５０に代わって人孔情報表示画面が表示されてもよい。
【００８０】
人孔情報表示画面６０は、人孔情報表示領域６１を備える。人孔情報表示領域６１は、連続地点指定受付画面５０に表示された設計済人孔の属性情報を表示する領域である。画面表示部１４は、設計情報に含まれる人孔ＩＤを用いて地点属性情報を参照し、各々の人孔ＩＤと対応する人孔ＩＤ２２ａと関連付けられた地点属性情報を表示する画面を生成する。本画面では、設計後の各人孔の人孔深等が表示されるため、ユーザーは設計後の人孔に対して下流人孔を選択する場合に、これらの情報を参考にすることができる。
【００８１】
図８に説明を戻す。次に、連続地点指定受付部１２は、各々の人孔ＩＤに対する下流人孔ＩＤの入力を受け付ける（ステップＳ２９）。具体的には、連続地点指定受付部１２は、連続地点指定受付画面５０において各設計済人孔ＩＤに対して下流人孔ＩＤが選択され、連続地点指定確定ボタン５２が選択されると、選択された下流人孔ＩＤが入力されたものとして処理を進める。
【００８２】
次に、地点情報生成部１３は、地点情報内の最上流人孔及び中間人孔の人孔ＩＤについて、入力された下流人孔ＩＤを格納する（ステップＳ３０）。具体的には、地点情報生成部１３は、ステップＳ２７で地点情報に格納した最上流人孔の人孔ｐＩＤ２１ａと対応させて、ステップＳ３１で入力を受け付けた下流人孔ＩＤを下流人孔ＩＤ２１ｃに格納する。同様に、地点情報生成部１３は、ステップＳ２７で地点情報に格納した各中間人孔の人孔ＩＤ２１ａと対応させて、ステップＳ３１で入力を受け付けた下流人孔ＩＤを下流人孔ＩＤ２１ｃに格納する。その後、地点情報生成部１３は本フローチャートの処理を終了する。
【００８３】
以上、本実施形態により、最上流人孔と最下流人孔とを指定した設計支援要求を出力することで、効率的に設計情報出力部１５に対して設計支援要求を行う人孔を特定することができる。また、設計情報出力部１５により出力された設計情報から必要な情報を読み込み、設計後の人孔の各々に対して下流人孔を指定することで、各人孔の順序を特定するとともに、人孔に関して必要な情報を容易に更新することができる。これにより、設計情報出力部１５が設計を支援する設計データの作成及び管理を効率的に行うことができる。
【００８４】
（変形例）
【００８５】
次に、本実施形態の変形例について説明する。以下、上述の実施形態と相違する点を中心に説明し、同様の点については説明を省略する。
【００８６】
上述の実施形態では、設計支援要求を読み取った設計情報出力部１５が、施工区間周辺の地図情報を取得した。本変形例では、地図情報生成部１６が施工区間周辺の地図情報を生成すると、設計支援要求出力部１１が地図情報を含む設計支援要求を設計情報出力部１５に対して出力する。
【００８７】
図１２は、変形例における情報処理装置１の機能ブロック図である。情報処理装置１における制御部１０は、設計支援要求出力部１１、連続地点指定受付部１２、地点情報生成部１３、画面表示部１４、設計情報出力部１５のほか、地図情報生成部１６を備える。
【００８８】
地図情報生成部１６は、地図情報記憶部２３に格納された地図情報に対して、最上流人孔の座標と最下流人孔の座標とを用いて地図情報を生成する。具体的には、画面表示部１４が施工区間入力画面４０に対する最上流人孔の人孔ＩＤと最下流人孔の人孔ＩＤの入力を受け付けると、地図情報生成部１６はこれらの人孔ＩＤを用いて地点情報を参照する。地図情報生成部１６は、最上流人孔及び最下流人孔の人孔ＩＤの各々に対応する人孔ＩＤ２１ａと関連付けられた座標２１ｂを特定する。地図情報生成部１６は、特定した最上流人孔の座標と、最下流人孔の座標とを含む地図情報を生成する。
【００８９】
地図情報生成部１６は、最上流人孔の座標と、最下流人孔との座標を用いて、所定の方法で地図情報を生成する。例えば、地図情報生成部１６は、この２点の各々を中心とする所定の半径の円を特定し、この円の双方を含むよう地図情報を生成する。また、地図情報生成部１６は、この２点を両端とする直線を対角線とし、一辺を所定の長さとする四角形を含むよう地図情報を生成する。また、地図情報生成部１６は、この２点を焦点とし、２点からの距離の和を所定の値とする楕円を含むよう地図情報を生成する。
【００９０】
地図情報生成部１６は、生成した地図情報を記憶部２０の図示しない領域に格納する。設計支援要求出力部１１は、設計支援要求を出力する際に記憶部２０から地図情報を取得する。設計支援要求出力部１１は、最上流人孔の人孔ＩＤと、最下流人孔の人孔ＩＤと、これらの位置情報及び地点属性情報と併せて、取得した地図情報を特定した設計支援要求を出力する。
【００９１】
本変形例によれば、地図情報を取得する機能を有しない設計情報出力部１５を用いて設計支援を行う場合であっても、設計支援要求に地図情報を含めることで、設計支援処理に地図情報を用いることができる。
【００９２】
以上、本発明に係る各実施形態及び変形例の説明を行ってきたが、本発明は、上記した実施形態の一例に限定されるものではなく、様々な変形例が含まれる。例えば、上記した実施形態の一例は、本発明を分かり易くするために詳細に説明したものであり、本発明は、ここで説明した全ての構成を備えるものに限定されない。また、ある実施形態の一例の構成の一部を他の一例の構成に置き換えることが可能である。また、ある実施形態の一例の構成に他の一例の構成を加えることも可能である。また、各実施形態の一例の構成の一部について、他の構成の追加・削除・置換をすることもできる。また、上記の各構成、機能、処理部、処理手段等は、それらの一部又は全部を、例えば集積回路で設計する等によりハードウェアで実現してもよい。また、図中の制御線や情報線は、説明上必要と考えられるものを示しており、全てを示しているとは限らない。ほとんど全ての構成が相互に接続されていると考えてもよい。
【００９３】
例えば本実施形態では、情報処理装置１を下水道の敷設替えを行う際のデータの作成及び管理に用いた。本発明の適用は下水道の施工に限定されず、例えば上水道であってもよい。上水道の場合、配水施設が上流となり、下流の各家庭に対して埋設管が分岐していく。すなわち、本実施形態とは上流と下流が逆の関係にある。この場合、連続地点指定受付部１２は設計情報に含まれる人孔の人孔ＩＤに対して、連続しかつ上流にある上流人孔ＩＤを指定する。地点情報記憶部２１は連続地点指定受付部の指定に従い、人孔ＩＤ２１ａに上流人孔ＩＤを対応させた地点情報を格納する。
【００９４】
このほか、本発明は、ガス管や配電線にも適用することができる。配電線の場合、人孔に代わって電柱等の設備に関する情報の受け渡しを行ってもよい。
【符号の説明】
【００９５】
１：情報処理装置、１０：制御部、１１：設計支援要求出力部、１２：連続地点指定受付部、１３：地点情報生成部、１４：画面表示部、１５：設計情報出力部、１６：地図情報生成部、２０：記憶部、２１：地点情報記憶部、２２：地点属性情報記憶部、２３：地図情報記憶部、３１：ＣＰＵ、３２：ＲＡＭ、３３：不揮発性メモリ、３４：表示装置、３５：入力装置、３６：ネットワークＩ／Ｆ、４０：施工区間入力画面、４１：人孔一覧表示領域、４２：確定ボタン、４３：戻るボタン、５０：連続地点指定受付画面、５１：設計済人孔表示領域、５２：連続地点指定確定ボタン、５３：戻るボタン、５４：人孔情報表示ボタン、６０：人孔情報表示画面、６１：人孔情報表示領域
【図１】
2015191253.tif 000003
【図２】
2015191253.tif 000004
【図３】
2015191253.tif 000005
【図４】
2015191253.tif 000006
【図５】
2015191253.tif 000007
【図６】
2015191253.tif 000008
【図７】
2015191253.tif 000009
【図８】
2015191253.tif 000010
【図９】
2015191253.tif 000011
【図１０】
2015191253.tif 000012
【図１１】
2015191253.tif 000013
【図１２】
2015191253.tif 000014